(57)【特許請求の範囲】
【請求項１】
コンテンツを再生するコンテンツ再生部と、
前記コンテンツの再生態様を制御する制御部と、
設定された所定範囲を撮像する撮像部と
を備え、
照明部の明るさを、所定の明るさより小さくするための制御信号が前記制御部に入力され、且つ、前記撮像部により撮像される前記所定範囲に人物が検出される場合に、前記制御部は、前記コンテンツ再生部により再生中のコンテンツの再生態様を変更する再生装置。
【請求項２】
前記コンテンツは、オーディオコンテンツであり、
前記制御部は、少なくとも、前記オーディオコンテンツの再生音量を小さくすることにより、前記オーディオコンテンツの再生態様を変更する請求項１に記載の再生装置。
【請求項３】
前記コンテンツ再生部と、前記制御部と、前記照明部と、前記撮像部とが一体的に構成される請求項１または２に記載の再生装置。
【請求項４】
前記コンテンツ再生部によりコンテンツの再生が行われる場合に、前記撮像部により前記範囲が撮像される請求項１乃至３のいずれかに記載の再生装置。
【請求項５】
前記照明部を備える請求項１乃至４のいずれかに記載の再生装置。
【請求項６】
前記コンテンツ再生部は、ネットワークを介して供給されるコンテンツを再生する請求項１乃至５のいずれかに記載の再生装置。
【請求項７】
制御部が、照明部の明るさを、所定の明るさより小さくするための制御信号が入力され、且つ、撮像部により撮像される、設定された所定範囲に人物が検出される場合に、前記コンテンツ再生部により再生中のコンテンツの再生態様を変更する再生方法。
【発明の詳細な説明】
【技術分野】
【０００１】
本開示は、再生装置および再生方法に関する。
【背景技術】
【０００２】
周囲に環境に応じて、電子機器を自動的に制御する提案がなされている。例えば、下記特許文献１には、周囲の明るさが暗い場合に、スピーカから再生される音の再生音量を小さくするパーソナルコンピュータが記載されている。
【先行技術文献】
【特許文献】
【０００３】
【特許文献１】特開２００５−１１００４４号公報
【発明の概要】
【発明が解決しようとする課題】
【０００４】
特許文献１に記載の技術は、周囲の明るさのみに応じて再生音量を制御している。このため、例えば、周囲が暗い中でユーザが音楽を聴きたい場合に、再生音量が小さく制御されてしまうなど、ユーザの意図と反する制御が行われる、という問題があった。
【０００５】
したがって、本開示の目的の一つは、再生中のオーディオコンテンツの再生音量を適切に制御する再生装置および再生方法を提供することにある。
【課題を解決するための手段】
【０００６】
上述した課題を解決するために、本開示は、例えば、
コンテンツを再生するコンテンツ再生部と、
コンテンツの再生態様を制御する制御部と、
設定された所定範囲を撮像する撮像部と
を備え、
照明部の明るさを、所定の明るさより小さくするための制御信号が制御部に入力され、且つ、撮像部により撮像される所定範囲に人物が検出される場合に、制御部は、コンテンツ再生部により再生中のコンテンツの再生態様を変更する再生装置である。
【０００７】
本開示は、例えば、
制御部が、照明部の明るさを、所定の明るさより小さくするための制御信号が入力され、且つ、撮像部により撮像される、設定された所定範囲に人物が検出される場合に、コンテンツ再生部により再生中のコンテンツの再生態様を変更する再生方法である。
【発明の効果】
【０００８】
少なくとも一つの実施形態によれば、オーディオコンテンツの再生音量を適切に制御できる。
【図面の簡単な説明】
【０００９】
【図１】図１Ａおよび図１Ｂは、本開示における一実施形態の概要を説明するための図である。
【図２】本開示の一実施形態におけるシステムの構成を説明するための図である。
【図３】本開示の一実施形態における再生装置等の構成を説明するためブロック図である。
【図４】本開示の一実施形態におけるホームサーバの構成を説明するためのブロック図である。
【図５】本開示の一実施形態における携帯端末の構成を説明するためのブロック図である。
【図６】制御対象を選択する際に、携帯端末の表示部に表示される表示例を説明するための図である。
【図７】照明の明るさを調節する際に、携帯端末の表示部に表示される表示例を説明するための図である。
【図８】オーディオの再生を制御する際に、携帯端末の表示部に表示される表示例を説明するための図である。
【図９】本開示の一実施形態における音量自動制御処理の流れを示す、フローチャートである。
【図１０】再生装置等の外観の変形例を説明するための図である。
【発明を実施するための形態】
【００１０】
以下、本開示の実施形態について図面を参照しながら説明する。なお、説明は、以下の順序で行う。
＜１．一実施形態＞
＜２．変形例＞
なお、以下に説明する実施形態および変形例は、本開示の好適な具体例であり、本開示の内容が、これらの実施形態および変形例に限定されないものとする。
【００１１】
＜１．一実施形態＞
「一実施形態の概要」
始めに、本開示における一実施形態の概要を説明する。本開示における一実施形態では、例えば、ユーザがいる位置と、照明の明るさとに応じて、スピーカから再生されるオーディオコンテンツの再生音量が変更される。図１Ａは、ユーザＵの部屋Ｒの一例を示したものである。部屋Ｒの天井には、照明Ｌが配設されている。部屋Ｒには、寝具の一例であるベッドＢが設置されている。なお、寝具は布団でもよい。
【００１２】
詳細は後述するが、照明Ｌは、ベッドＢを含む位置を撮像する撮像装置と、オーディオコンテンツを再生する再生装置と一体的に構成されている。このため、照明Ｌの配設位置の付近から部屋Ｒの室内に向かって、オーディオコンテンツが再生される。図１Ａにおいて示す音符のマークは、部屋Ｒ内にオーディオコンテンツが再生中であることを模式的に示したものである。音符のマークの大きさは、オーディオコンテンツの再生音量の大きさを模式的に示したものである。音符のマークの大きさが大きいほど、オーディオコンテンツの再生音量が大きいことを示す。
【００１３】
オーディオコンテンツの再生中に、照明の明るさが所定の明るさ以下となるように、照明の明るさが制御される。図１Ａの例では、ユーザＵは、ベッドの位置とは異なる位置にいるため、撮像装置により取得される撮像画像からは、人物は検出されない。このような場合は、ユーザＵは、暗い中でオーディオコンテンツを聞くと判断され、オーディオコンテンツの再生音量は制御されない。
【００１４】
これに対して、図１Ｂの例では、オーディオコンテンツの再生中に、ユーザＵがベッドＢに横たわる。撮像装置により取得される撮像画像から、人物であるユーザＵが検出される。このような場合は、ユーザＵが就寝するものと判断され、オーディオコンテンツの再生態様が変更される。例えば、再生中のオーディオコンテンツの再生音量が小さくされる。このように、本開示の一実施形態では、ユーザの位置と、照明の明るさとに応じて、オーディオコンテンツの再生音量が制御される。以下、本開示の一実施形態の内容について、詳細に説明する。
【００１５】
「システムの一例」
図２は、一実施形態におけるシステムの構成の一例を示す。システム１は、例えば、再生装置１００と、ホームサーバ２００と、携帯端末３００とを含む。再生装置１００は、例えば、照明装置１１０および撮像装置１２０と一体的に構成され、部屋の天井に取り付けられる。ホームサーバ２００は、部屋の所定位置に載置される。ホームサーバ２００は、例えば、可搬可能な程度の大きさおよび重量とされる。携帯端末３００は、ユーザによって携帯される。携帯端末３００を使用して、再生装置１００やホームサーバ２００等を制御できる。以下、各装置について詳細に説明する。
【００１６】
再生装置１００は、例えば、部屋の天井の中央付近に取り付けられる。再生装置１００は、天井の略中央付近から室内に向かって立設する、柱状の筺体１０を含む。筺体１０の内部に、再生装置１００、照明装置１１０および撮像装置１２０に対して、電力を供給するための配線等が収納される。再生装置１００、照明装置１１０および撮像装置１２０には、例えば、商用電源に基づく電力が供給される。
【００１７】
筺体１０の各側面には、例えば、２個のスピーカＳＰが配設される。再生装置１００は、８個のスピーカＳＰを有する。スピーカＳＰが配設される位置や個数は、適宜、変更できる。筺体１０の端面には、照明装置１１０の発光部１１１が取り付けられる。照明装置１１０の略中央から室内に向かって、撮像装置１２０の撮像部１２１が立設する。撮像部１２１は、例えば、全方位（０°〜３６０°）に存在する被写体を撮像できる全方位撮像光学系として構成され、部屋内を撮像できるように構成される。
【００１８】
ホームサーバ２００は、コンテンツデータを蓄積する。コンテンツデータは、例えば、オーディオコンテンツである。ビデオコンテンツや、写真などの静止画のコンテンツでもよい。ホームサーバ２００に蓄積されるコンテンツデータが、ネットワークを介して再生装置１００に供給され、再生装置１００により再生される。なお、ホームサーバ２００が、パーソナルコンピュータとしての機能や、ゲーム機としての機能などの他の機能を備えてもよい。
【００１９】
携帯端末３００は、例えば、スマートフォンである。携帯端末３００は、タブレットコンピュータでもよく、システム１において使用可能な専用のリモートコントロール装置でもよい。例えば、携帯端末３００に所定のアプリケーションをダウンロードし、そのアプリケーションを実行することにより、複数の電子機器に対する携帯端末３００を使用した制御を行うことができる。
【００２０】
携帯端末３００に対する操作がなされると、操作に応じた制御信号が生成される。制御信号が再生装置１００等に送出され、制御信号に応じて再生装置１００等が動作する。携帯端末３００から送出される制御信号は、例えば、無線により伝送される。携帯端末３００から送出される制御信号が、赤外線により伝送されてもよい。
【００２１】
携帯端末３００を使用した電子機器に対する制御として、以下のような制御が例示される。例えば、再生対象のオーディオコンテンツを選択する制御を、ホームサーバ２００に対して行うことができる。例えば、再生装置１００から再生されるオーディオコンテンツの再生音量を調整する制御を、再生装置１００に対して行うことができる。例えば、照明装置１１０の発光部１１１の明るさを調節する制御を、照明装置１１０に対して行うことができる。
【００２２】
システム１を構成する各機器は、例えば、ＤＬＮＡ(Digital Living Network Alliance)に対応する。ＤＬＮＡは、ネットワーク上の複数の電子機器が接続されたホームネットワークを構築するための一つの仕様である。ＤＬＮＡによって、ホームネットワークによってデジタルＡＶ(Audio Visual)機器同士やパーソナルコンピュータを相互に接続し、動画、音楽、静止画像などのコンテンツを相互利用する仕様（ガイドライン）が策定されている。ＤＬＮＡの仕様では、機器（デバイスと称される）として、以下に述べるものが規定されている。
【００２３】
ＤＭＳ(Digital Media Server)：コンテンツを提供するコンテンツ供給部。サーバと称される。
ＤＭＰ(Digital Media Player)：インターフェース機能とコンテンツ再生機能とを有する制御再生部。
ＤＭＲ(Digital Media Renderer)：後述するＤＭＣからの制御を受けて、ＤＭＳに保存されたコンテンツやＤＭＳ側から送信されるコンテンツを再生する機能を有する再生部。レンダラと称される。
ＤＭＣ(Digital Media Controller)：ＤＭＰやＤＭＲなどを制御して必要な再生制御を行う制御機能部。
【００２４】
システム１の例では、再生装置１００がＤＭＲとして機能する。ホームサーバ２００がＤＭＳおよびＤＭＰとして機能する。携帯端末３００がＤＭＣとして機能する。
【００２５】
「再生装置等の構成の一例」
次に、再生装置１００、照明装置１１０および撮像装置１２０（適宜、再生装置１００等と称する）のそれぞれの構成の一例を説明する。再生装置１００、照明装置１１０および撮像装置１２０は、例えば、一体的に構成される。一体的に構成されるとは、再生装置１００、照明装置１１０および撮像装置１２０が物理的に一体的に構成されること、および、再生装置１００、照明装置１１０および撮像装置１２０が共通の制御部によって制御されることの、少なくとも一方を含む意味である。
【００２６】
図３は、再生装置１００等の構成の一例を示す。再生装置１００は、例えば、制御部１０１、通信部１０２、オーディオ処理部１０３、アンプ１０４およびスピーカ１０５を含む。制御部１０１に対して、通信部１０２、オーディオ処理部１０３およびアンプ１０４が接続される。オーディオ処理部１０３に対して、通信部１０２およびアンプ１０４が接続される。アンプ１０４に対して、スピーカ１０５が接続される。例えば、オーディオ処理部１０３、アンプ１０４およびスピーカ１０５によりコンテンツ再生部が構成される。なお、図３では、一のアンプ１０４および一のスピーカ１０５を図示しているが、実際は、筺体１０に配設される個数のスピーカ（８個のスピーカＳＰ）に対応した構成とされる。
【００２７】
制御部１０１は、例えば、ＣＰＵ(Central Processing Unit)から構成され、再生装置１００の各部を制御する。例えば、オーディオ処理部１０３の処理におけるパラメータの設定値を適宜、変更し、オーディオコンテンツの再生態様を変更する。
【００２８】
制御部１０１は、さらに、照明装置１１０および撮像装置１２０を制御する。制御部１０１は、例えば、照明装置１１０の明るさを変更するための制御を行う。制御部１０１は、撮像装置１２０から供給される撮像画像を解析し、ベッドに人物（ユーザ）がいるか否かを判断する。例えば、ユーザが就寝する際のベッド付近の画像を予め撮像し、撮像画像をパターンとしてメモリ（図示は、省略している）に保持する。就寝時のユーザの姿勢に応じて、複数のパターンが保持されてもよい。制御部１０１は、撮像装置１２０から供給される撮像画像に、パターンが含まれるか否かを判断するパターンマッチング処理を行う。撮像画像にパターンが含まれる場合に、制御部１０１は、ベッドにユーザがいると判断する。
【００２９】
ベッドにユーザがいるか否かを判断する方法は、パターンマッチング処理に限られることはない。例えば、ベッド上における枕が置かれる位置の付近を撮像し、撮像画像に肌色の成分が含まれるか否かを判断するようにしてもよい。制御部１０１は、撮像画像に肌色の成分が含まれる場合に、ユーザがベッドにいると判断する。もちろん、他の公知の方法を適用し、ベッドにユーザがいるか否かを判断してもよい。制御部１０１は、照明装置１１０の明るさが所定の明るさより小さくされ、かつ、ベッドにユーザがいると判断する場合に、オーディオコンテンツの再生態様を変更する制御を行う。
【００３０】
通信部１０２は、ホームサーバ２００からネットワークを介して供給されるオーディオコンテンツを受信する。通信部１０２により受信されるオーディオコンテンツが、オーディオ処理部１０３に供給される。さらに、通信部１０２は、携帯端末３００から送信される制御信号を受信する。制御信号は、例えば、照明の明るさを調節するための制御信号やオーディオコンテンツの再生態様を変更する制御信号である。
【００３１】
オーディオ処理部１０３は、例えば、ＤＳＰ(Digital Signal Processor)から構成され、オーディオ処理部１０３に入力されるオーディオコンテンツに対して、種々の信号処理を行う。例えば、通信部１０２により受信されるオーディオコンテンツが、オーディオ処理部１０３に入力される。オーディオ処理部１０３は、入力されるオーディオコンテンツに対して、例えば、ＦＦＴ(Fast Fourier Transform)処理、デジタルフィルタリング処理、デインタリーブ処理、デコード処理、レベルコントロール処理、これらの処理が施されたデジタル信号をアナログ信号へと変換するＤＡＣ(Digital to Analog Converter)処理などを行う。
【００３２】
アンプ１０４は、オーディオ処理部１０３による処理が施されたオーディオコンテンツを所定の増幅率でもって増幅する。アンプ１０４は、デジタルアンプにより構成されてもよい。アンプ１０４によって増幅されるオーディオコンテンツがスピーカ１０５から再生される。
【００３３】
照明装置１１０は、例えば、発光部１１１および発光制御部１１２を含む。発光部１１１は、例えば、ＬＥＤ(Light Emitting Diode)と常夜灯とを含む。発光制御部１１２は、制御部１０１の制御に基づき動作し、ＬＥＤの明るさや常夜灯の点灯および消灯の切替を制御する。
【００３４】
発光制御部１１２は、例えば、ＬＥＤに流れる直流電流を制御することでＬＥＤの明るさを調節する。一定の周波数でもってＬＥＤに流れる電流をオンまたはオフし、オンの期間の比率を制御することによりＬＥＤの明るさを調節してもよい。これらの発光制御部１１２の機能が、制御部１０１に組み込まれていてもよい。発光部１１１の明るさは、例えば、ルーメン（ｌｍ）を単位として規定される。他の公知の内容でもって、発光部１１１の明るさが規定されてもよい。
【００３５】
発光部１１１は、例えば、全灯状態、消灯状態、常夜灯のみが点灯する状態および調光状態のいずれかの状態をとり得る。全灯状態は、ＬＥＤが１００パーセント（％）の明るさで点灯する状態である。消灯状態は、ＬＥＤおよび常夜灯がともに消灯する状態である。調光状態は、ＬＥＤの明るさを可変できる状態である。例えば、ＬＥＤの明るさを１０％のステップでもって段階的に変更できる状態である。常夜灯のみが点灯する状態では、ＬＥＤは消灯する。詳細は後述するが、携帯端末３００を使用していずれかの状態を設定できる。
【００３６】
なお、発光部１１１は、ＬＥＤに限られることなく、蛍光灯などでもよい。発光制御部１１２が蛍光灯の明るさ等を制御するためのインバータ回路を有する構成としてもよい。
【００３７】
撮像装置１２０は、例えば、撮像部１２１および画像処理部１２２を含む。撮像部１２１は、例えば、被写体を撮像するレンズ、ＣＣＤ（Charge Coupled Device）やＣＭＯＳ(Complementary Metal Oxide Semiconductor)などからなる撮像素子、撮像素子を所定位置に駆動する機構や絞りを調整する機構、フォーカスを調整する機構、ズームを調整する機構、手振れを補正する機構などを含む。レンズ、撮像素子および各機構に対する制御は、例えば、制御部１０１により行われる。撮像装置１２０のフレームレートは、例えば、６０f/s(frame per second)とされる。
【００３８】
画像処理部１２２は、例えば、アナログ信号処理部、Ａ／Ｄ(Analog to Digital)変換部、デジタル信号処理部を含む。アナログ信号処理部は、撮像素子の光電変換機能により得られるアナログ画像信号に対して、ＣＤＳ(Correlated Double Sampling)処理を行ってＳ／Ｎ比(Signal to Noise Ratio)を良好にし、ＡＧＣ(Automatic Gain Control)処理を行って利得を制御する。アナログ信号処理が施されたアナログ画像信号がＡ／Ｄ変換部でデジタル画像信号に変換される。デジタル画像信号がデジタル信号処理部に供給される。デジタル信号処理部では、デジタル画像信号に対して、デモザイク処理やＡＦ(Auto Focus)、ＡＥ(Auto Exposure)、ＡＷＢ(Auto White Balance)などのカメラ信号処理を施す。画像処理部１２２による処理が施された画像信号が制御部１０１に供給される。
【００３９】
「再生装置等の動作の一例」
再生装置１００の動作の一例を説明する。ホームサーバ２００から送信されるオーディオコンテンツが通信部１０２によって受信される。受信されるオーディオコンテンツがオーディオ処理部１０３に供給される。オーディオコンテンツに対して、オーディオ処理部１０３による所定の処理が行われ、処理が施されたオーディオコンテンツがアンプ１０４に供給される。なお、所定の処理の例は、上述した通りである。オーディオ処理部１０３による処理が施されたオーディオコンテンツがアンプ１０４によって増幅され、スピーカ１０５から再生される。
【００４０】
オーディオコンテンツの再生態様は、携帯端末３００を使用して変更される。例えば、オーディオコンテンツの再生音量や周波数特性が変更される。携帯端末３００を使用した操作に対応する制御信号が生成される。生成される制御信号が携帯端末３００から送信される。送信される制御信号が再生装置１００の通信部１０２により受信される。受信される制御信号が、通信部１０２から制御部１０１に対して供給される。制御部１０１は、供給される制御信号に応じてオーディオ処理部１０３の設定値を変更し、オーディオコンテンツの再生音量や周波数特性を変更する。
【００４１】
次に、照明装置１１０の動作の一例について説明する。発光制御部１１２の制御に応じて、発光部１１１が所定の明るさでもって発光する。発光制御部１１２は、制御部１０１による制御に応じて動作する。発光部１１１がＬＥＤの場合について説明する。発光部１１１を所定の明るさで発光させるための制御信号が、制御部１０１から発光制御部１１２に供給される。発光制御部１１２は、制御信号に基づいてＬＥＤの直流電流の値を制御し、制御信号で示される明るさになるように、ＬＥＤを制御する。なお、常夜灯を点灯するための制御信号が供給される場合は、発光制御部１１２は、ＬＥＤを消灯し、常夜灯を点灯する制御を行う。なお、発光部１１１の明るさの変更等は、例えば、携帯端末３００を使用して変更される。
【００４２】
次に、撮像装置１２０の動作の一例について説明する。撮像装置１２０の撮像部１２１は、例えば、３６０度の全方向を撮像可能とされる。撮像部１２１により撮像される範囲（適宜、撮像範囲と称する）が、ユーザによって設定可能とされる。例えば、室内においてベッドが設置される位置を含む範囲が撮像範囲として設定される。
【００４３】
撮像部１２１により撮像される撮像画像である画像信号が、画像処理部１２２に供給される。画像信号に対して画像処理部１２２による画像処理が施され、画像処理が施された画像信号が制御部１０１に供給される。画像処理の例は、上述した通りである。
【００４４】
制御部１０１は、上述したパターンと画像信号とを比較し、ベッドに人物であるユーザが存在するか否かを判断する。パターンと画像信号とを比較する処理は、例えば、１フレーム毎に行われる。制御部１０１の負荷を軽減するために、フレームを間引いてパターンと画像信号とを比較する処理を行うようにしてもよい。画像信号にパターンが含まれる場合に、制御部１０１は、ベッドに人物が検出され、ベッドにユーザがいると判断する。なお、ベッドにユーザがいるか否かを判断するための処理が、画像処理部１２２により行われてもよい。
【００４５】
再生中のオーディオコンテンツの再生音量を、自動的に制御する処理（適宜、音量自動制御処理と称する）における各装置の動作の一例を説明する。
【００４６】
再生装置１００によりオーディオコンテンツを再生する処理が行われ、スピーカ１０５からオーディオコンテンツが再生される。ベッドの位置を含む範囲が撮像装置１２０により撮像され、撮像により得られる画像信号に対して画像処理部１２２による処理が行われる。処理が施された画像信号が、画像処理部１２２から制御部１０１に供給される。
【００４７】
オーディオコンテンツの再生中に、照明装置１１０の発光部１１１の明るさを所定の明るさより小さくする操作が携帯端末３００を使用してなされる。例えば、発光部１１１を消灯する操作がなされる。操作に応じて発光部１１１を消灯するための制御信号が生成され、生成される制御信号が携帯端末３００より送信される。制御信号が通信部１０２により受信され、制御信号が制御部１０１に供給される。
【００４８】
制御部１０１は、画像処理部１２２から供給される画像信号を解析し、ベッドに人物（ユーザ）がいるか否かを判断する。画像信号にパターンが含まれる場合は、制御部１０１は、ベッドにユーザがいると判断する。
【００４９】
発光部１１１を消灯する指示がなされ、かつ、ベッドにユーザがいることから、制御部１０１は、ユーザが就寝すると判断する。そして、制御部１０１は、オーディオコンテンツの再生態様を変更する。例えば、制御部１０１は、オーディオ処理部１０３を制御し、再生中のオーディオコンテンツの再生音量をミュートする。
【００５０】
制御部１０１は、発光部１１１を消灯するための制御信号に応じて発光制御部１１２を制御する。制御部１０１の制御に基づいて発光制御部１１２が動作する。例えば、発光制御部１１２がＬＥＤに流れる電流値を制御することにより、発光部１１が消灯される。発光部１１１が消灯され、且つ、オーディオコンテンツの再生音量が自動でミュートされる。ユーザは、オーディオコンテンツの再生を停止する操作等を行うことなく、静穏な環境で就寝できる。
【００５１】
「ホームサーバの構成の一例」
図４は、ホームサーバ２００の構成の一例を示す。ホームサーバ２００は、例えば、制御部２０１、データベース２０２および通信部２０３を含む。制御部２０１は、例えば、ＣＰＵから構成され、ホームサーバ２００の各部を制御する。制御部２０１によって実行される処理として、データベース２０２から所定のオーディオコンテンツを読み出す処理や、オーディオコンテンツを変調する処理が例示される。
【００５２】
データベース２０２は、例えば、大容量のハードディスク装置からなる。データベース２０２には、複数のオーディオコンテンツが記憶される。データベース２０２に対して、例えば、ＣＤ(Compact Disk)からリッピングされるオーディオコンテンツなどが新たに追加できるようにしてもよい。
【００５３】
通信部２０３は、例えば、再生装置１００の通信部１０２と通信を行う。さらに、通信部２０３は、携帯端末３００から送信される制御信号を受信する。携帯端末３００から送信される制御信号は、例えば、再生対象のオーディオコンテンツを選択する制御信号である。
【００５４】
「ホームサーバの動作の一例」
ホームサーバ２００の動作の一例について説明する。例えば、携帯端末３００に対して、再生するオーディオコンテンツを選択する操作がなされる。操作に応じて生成される制御信号が携帯端末３００より送信される。制御信号が通信部２０３により受信される。通信部２０３から制御部２０１に対して、制御信号が供給される。制御部２０１は、制御信号により示されるオーディオコンテンツをデータベース２０２から読み出す。
【００５５】
制御部２０１は、データベース２０２から読み出したオーディオコンテンツに対して、変調処理等の処理を施す。制御部２０１により変調処理等がなされたオーディオコンテンツが通信部２０３から再生装置１００に送信される。オーディオコンテンツが通信部１０２により受信され、オーディオコンテンツが再生装置１００において再生される。
【００５６】
なお、データベース２０２に記憶されるオーディオコンテンツのリストが制御部２０１により生成され、リストが携帯端末３００に送信されるようにしてもよい。リストが携帯端末３００の表示部に表示されるようにしてもよい。複数のオーディオコンテンツと、それらのオーディオコンテンツの再生順を規定するプレイリストが、携帯端末３００からホームサーバ２００に送信されるようにしてもよい。制御部２０１は、プレイリストで指示されるオーディオコンテンツを、そのプレイリストで指示される順に読み出して再生するようにしてもよい。
【００５７】
「携帯端末の構成の一例」
携帯端末３００は、例えば、制御部３０１、表示部３０２ａ、メモリ３０３、通信部３０４、オーディオ処理部３０５、アンプ３０６およびスピーカ３０７を含む。表示部３０２ａは、表示部３０２ａに対して操作が可能なタッチパネル３０２ｂとして構成される。
【００５８】
制御部３０１は、例えば、ＣＰＵからなり、携帯端末３００の各部を制御する。制御部３０１は、例えば、タッチパネル３０２ｂに対する操作に応じて、制御信号を生成する。制御部３０１により生成される制御信号が再生装置１００やホームサーバ２００などに向けて送信される。
【００５９】
表示部３０２ａは、ＬＣＤ(Liquid Crystal Display)や有機ＥＬ(Electroluminescence)などの表示パネルと、表示パネルを駆動するための表示ドライバを含む。表示部３０２ａには、例えば、様々な電子機器を操作するための画面が表示される。例えば、照明装置１１０の明るさを調節するための画面や、オーディオコンテンツの再生態様を変更するための画面などが表示される。なお、タッチパネル３０２ｂとして操作可能な画面を、操作画面と適宜、称する。
【００６０】
メモリ３０３は、例えば、不揮発性のメモリからなる。メモリ３０３に、制御部３０１が実行するプログラムが格納されていてもよい。メモリ３０３が、制御部３０１のワークメモリとして使用されてもよい。メモリ３０３が、携帯端末３００に対して着脱自在とされるメモリでもよい。
【００６１】
メモリ３０３にオーディオコンテンツが記憶される。メモリ３０３に記憶されるオーディオコンテンツがオーディオ処理部３０５に供給される。オーディオコンテンツに対してオーディオ処理部３０５による所定の信号処理が施され、処理が施されたオーディオコンテンツがアンプ３０６に供給される。
【００６２】
通信部３０４は、他の装置と通信を行う。例えば、通信部３０４を介して携帯端末３００がインターネット等のネットワークに接続する。ネットワーク上のサーバ装置から供給されるオーディオコンテンツが、通信部３０４により受信される。通信部３０４により受信されるオーディオコンテンツがオーディオ処理部３０５に供給される。通信部３０４により通話機能が実現されてもよい。
【００６３】
通信部３０４から、他の装置に対する制御信号が送信される。例えば、照明装置１１０の明るさを制御するための制御信号が通信部３０４から送信される。例えば、再生対象のオーディオコンテンツを指示するための制御信号が通信部３０４から送信される。
【００６４】
オーディオ処理部３０５は、オーディオ処理部３０５に入力されるオーディオコンテンツに対して、種々の信号処理を行う。例えば、メモリ３０３に記憶されるオーディオコンテンツがオーディオ処理部３０５に入力される。オーディオ処理部３０５は、オーディオコンテンツに対して、例えば、ＦＦＴ処理、デジタルフィルタリング処理、デインタリーブ処理、デコード処理、レベルコントロール処理、これらの処理が施されたデジタル信号をアナログ信号へと変換するＤＡＣ処理などを行う。なお、通信部３０４により受信されるオーディオコンテンツをリアルタイムで再生する、いわゆるストリーミング再生のための処理がオーディオ処理部３０５により行われてもよい。
【００６５】
アンプ３０６は、オーディオ処理部３０５から供給されるオーディオコンテンツを所定の増幅率でもって増幅する。アンプ３０６は、デジタルアンプにより構成されてもよい。アンプ３０６によって増幅されるオーディオコンテンツがスピーカ３０７から再生される。なお、携帯端末３００が撮像機能などの他の機能を備える構成としてもよい。
【００６６】
「携帯端末の動作の一例」
携帯端末３００の動作の一例について説明する。携帯端末３００を使用して、複数の電子機器を制御できる。例えば、ネットワーク上で公開されている特定のアプリケーションを、通信部３０４を介してダウンロードする。ダウンロードしたアプリケーションを実行することにより、複数の電子機器を操作する操作画面を表示部３０２ａに表示させることができる。
【００６７】
タッチパネル３０２ｂに対する所定の操作がなされる。操作に応じた操作信号が生成され、操作信号がタッチパネル３０２ｂから制御部３０１に供給される。制御部３０１は、操作信号に対応する制御信号を生成する。制御部３０１は、制御信号を所定の方式で変調し、変調した制御信号を通信部３０４に供給する。通信部３０４から制御信号が送信される。
【００６８】
携帯端末３００から送信される制御信号のヘッダには、例えば、電子機器毎に割り当てられるＩＤ(Identification)が記述される。制御信号を受信する各電子機器は、ヘッダに記述されるＩＤを解析することにより、自己に対する制御信号が否かの判断を行うことができる。さらに、再生装置１００の制御部１０１は、ヘッダに記述されるＩＤを解析することにより、どの電子機器を制御するための制御信号であるかを識別できる。
【００６９】
「操作画面の表示例」
携帯端末３００の表示部３０２ａに表示される操作画面の例について説明する。図６は、制御対象の機器を選択する操作画面（以下、この操作画面を、適宜、メニュー画面と称する）の一例である。表示部３０２ａに、例えば、照明装置１１０に対する操作を行うためのアイコン３１ａと、再生装置１００に対する操作を行うためのアイコン３１ｂと、
撮像装置１２０に対する設定を行うためのアイコン３１ｃと、エアコン装置に対する操作を行うためのアイコン３１ｄと、テレビジョン装置に対する操作を行うためのアイコン３１ｅと、インターネットを介して送受信がなされるインターネットラジオ装置を操作するためのアイコン３１ｆとが表示される。
【００７０】
いずれかのアイコンが触れられると、アイコンにより示される電子機器を制御するための操作画面に、操作画面が遷移する。図７は、例えば、アイコン３１ａを触れる操作がなされる場合に、表示される操作画面の一例を示す。アイコン３１ａは、制御対象の機器として照明を示す。このため、アイコン３１ａを触れると照明装置１１０を制御する操作画面が表示される。
【００７１】
照明装置１１０を制御する操作画面として、複数のアイコンが表示部３０２ａに表示される。複数のアイコンとして、メニュー画面を表示するためのアイコン３２ａと、発光部１１１を全灯状態にするためのアイコン３２ｂと、発光部１１１を調光状態にするためのアイコン３２ｃと、常夜灯を点灯するためのアイコン３２ｄと、発光部１１を消灯状態にするためのアイコン３２ｅとが例示される。さらに、発光部１１１の明るさを段階的に調節するための、アイコン３２ｆおよびアイコン３２ｇが表示部３０２ａに表示される。アイコン３２ｆを触れると、発光部１１１が暗くなる。アイコン３２ｇを触れると、発光部１１１が明るくなる。
【００７２】
図８は、メニュー画面におけるアイコン３１ｂを触れる操作がなされる場合に表示される、操作画面の一例を示す。アイコン３１ｂは、制御対象としてミュージックを示す。このため、アイコン３１ｂを触れるとオーディオコンテンツの再生等を制御する操作画面が表示される。
【００７３】
オーディオコンテンツの再生等を制御する操作画面として、複数のアイコンが表示部３０２ａに表示される。複数のアイコンとして、メニュー画面を表示するためのアイコン３３ａと、オーディオコンテンツのリスト３３ｂと、オーディオコンテンツの再生を指示するためのアイコン３３ｃと、再生中のオーディオコンテンツの次のオーディオコンテンツを再生するためのアイコン３３ｄと、再生中のオーディオコンテンツの一曲前のオーディオコンテンツを再生するためのアイコン３３ｅと、オーディオコンテンツの再生音量（ボリュームなどと称される）を大きくするためのアイコン３３ｆと、オーディオコンテンツの再生音量を小さくするためのアイコン３３ｇとが例示される。
【００７４】
リスト３３ｂは、ホームサーバ２００に記憶されるオーディオコンテンツのリストである。携帯端末３００のメモリ３０３に記憶されるオーディオコンテンツのリストでもよい。リスト３３ｂは、例えば、ホームサーバ２００から携帯端末３００に送信される。リスト３３ｂに、例えば、６曲の曲名（ＡＡＡ、ＢＢＢ・・・ＦＦＦ）が表示される。リスト３３ｂを、図面に向かって上方向または下方向に移動する操作（ドラッグ操作などとも称される）をすると、リスト３３ｂがスクロールし、他の曲名が表示される。
【００７５】
リスト３３ｂにおけるいずれかの曲名を触れることで、その曲名のオーディオコンテンツが選択される。そして、アイコン３３ｃが触れられると、オーディオコンテンツの識別ＩＤと、再生指示とを含む制御信号がホームサーバ２００に送信される。ホームサーバ２００において、識別ＩＤに該当するオーディオコンテンツが読み出され、オーディオコンテンツが再生装置１００に送信される。再生装置１００においてオーディオコンテンツが再生される。
【００７６】
なお、曲名を２回、連続的に触れる操作（ダブルタップ操作などとも称される）に応じて、その曲名に対応するオーディオコンテンツが再生されるようにしてもよい。さらに、個々の曲名を選択する操作ではなく、プレイリストを選択できるようにしてもよい。ホームサーバ２００からプレイリストにしたがってオーディオコンテンツが読み出され、プレイリストにしたがって、オーディオコンテンツが連続的に再生されるようにしてもよい。
【００７７】
この他に、例えば、アイコン３３ｆやアイコン３３ｇを触れる操作により、オーディオコンテンツの再生音量を変更できる。携帯端末３００を使用して、再生装置１００以外の他の再生機器を指定できるようにしてもよい。
【００７８】
メニュー画面のアイコン３１ｃを触れる操作がなされると、撮像装置１２０により撮像される範囲を設定する画面が表示される。例えば、部屋の中央や、部屋のコーナーのうち、いずれかのコーナーを指定する画面が表示される。ユーザは、ベッドが設置される位置を含む位置を指定する。
【００７９】
他の方法により、撮像装置１２０により撮像される範囲が設定されてもよい。例えば、携帯端末３００の撮像機能によりベッドが設置される位置を含む範囲を撮像する。撮像画像を通信部１０２に向けて送信する。制御部１０１は、撮像部１２１の撮像範囲を適宜、切り替え、撮像により得られる撮像画像と、携帯端末３００から送信される撮像画像を比較する。比較の結果、互いの撮像画像が最も類似する場合における範囲を、撮像部１２１により撮像する撮像範囲として設定してもよい。さらに、撮像装置１２０により撮像される所定の範囲毎の撮像画像を携帯端末３００に送信し、それらの撮像画像のうち、ベッドを含む位置の撮像画像をユーザが選択することにより、撮像範囲が設定されるようにしてもよい。
【００８０】
撮像装置１２０を、全方位を撮像できる装置と構成し、且つ、撮像範囲を設定できるため、ベッド等の寝具の位置を含む範囲のみを撮像できる。さらに、撮像装置１２０が全方位を撮像できるため、ベッドを設置する位置をユーザが自由に決定できる。ベッドの位置を含む範囲を確実に撮像できるため、ユーザを検知するためのセンサ等をベッドに設ける必要がない。
【００８１】
「処理の流れの一例」
図９は、音量自動制御処理の流れの一例を示すフローチャートである。ステップＳ１では、オーディオコンテンツを再生する処理が行われる。例えば、再生対象のオーディオコンテンツが選択され、再生機器として再生装置１００が選択される操作が携帯端末３００を使用してなされる。そして、オーディオコンテンツを再生する指示がホームサーバ２００に対してなされる。
【００８２】
ホームサーバ２００において、携帯端末３００により選択されたオーディオコンテンツが読み出される。ホームサーバ２００から再生装置１００にオーディオコンテンツが送信される。オーディオコンテンツが通信部１０２により受信される。受信されるオーディオコンテンツがオーディオ処理部１０３に供給される。オーディオ処理部１０３による処理が施されたオーディオコンテンツがアンプ１０４により増幅され、増幅されたオーディオコンテンツがスピーカ１０５から再生される。そして、処理がステップＳ２に進む。
【００８３】
ステップＳ２では、例えば、照明装置１１０の発光部１１１を消灯する制御要求があるか否かが制御部１０１により判断される。例えば、図７に例示した操作画面にアイコン３２ｅを触れる操作がなされと、制御対象として照明装置１１０を示すＩＤと、消灯するための所定のビット列とを含む制御信号が、携帯端末３００から送信される。制御部１０１は、この制御信号の有無を監視することにより、発光部１１１を消灯する制御要求があるか否かを判断できる。発光部１１１を消灯する制御要求がない場合は、処理がステップＳ２に戻る。そして、ステップＳ２の判断処理が繰り返される。
【００８４】
発光部１１１を消灯する制御要求がある場合は、処理がステップＳ３に進む。ステップＳ３において、制御部１０１は、画像処理部１２２から供給される画像信号を解析する。画像信号は、撮像部１２１によりベッドを含む位置が撮像されることで得られる撮像画像である。そして、処理がステップＳ４に進む。
【００８５】
ステップＳ４では、ベッドにユーザがいるか否かが制御部１０１により判断される。制御部１０１は、例えば、ベッドにユーザが寝た状態の画像をパターンとして保持しておき、このパターンが画像信号に含まれる場合は、ユーザがベッドにいるものと判断する。ユーザがベッドにいないと判断される場合は、処理がステップＳ６に進む。
【００８６】
ステップＳ６において、制御部１０１は、照明を消灯する制御信号に応じて発光制御部１１２を制御する。発光制御部１１２は、制御部１０１による制御に基づき動作し、発光部１１１を消灯する。このとき、再生中のオーディオコンテンツの再生態様は変更されない。すなわち、ユーザがベッドにいないことから、ユーザは、暗い中でオーディオコンテンツを聴取すると判断する。したがって、オーディオコンテンツの再生態様は変更されない。そして、処理が終了する。
【００８７】
ステップＳ４において、ユーザがベッドにいると判断される場合は、処理がステップＳ５に進む。ステップＳ５において、再生中のオーディオコンテンツの再生音量がミュートされる。すなわち、制御部１０１は、照明が消灯され、かつ、ベッドにユーザがいることから、ユーザが就寝するものと判断する。制御部１０１は、オーディオ処理部１０３を制御し、再生中のオーディオコンテンツの再生音量をミュートする。そして、処理がステップＳ６に進み、発光部１１１が消灯される。このように、ユーザが就寝する際に、再生中のオーディオコンテンツの再生音量を自動でミュートできる。
【００８８】
＜２．変形例＞  
以上、本開示の複数の実施形態について説明したが、本開示は、上述した実施形態に限定されることなく、種々の変形が可能である。
【００８９】
再生装置等の外観は、適宜、変更できる。例えば、図１０に示す形状でもよい。天井４０から室内に向かって、再生装置４００、照明装置５００および撮像装置６００が立設される。再生装置４００および照明装置５００が一体的に構成される。再生装置４００および照明装置５００の近傍に、撮像装置６００が立設される。
【００９０】
再生装置４００は、レシーバ４０１と、スピーカ４０２と、スピーカカバー４０３を含む。なお、図１０では、後述する光透過性の筺体５０２と区別するために、スピーカカバー４０３を点線で示している。レシーバ４０１は、通信部１０２、オーディオ処理部１０３およびアンプ１０４の機能を有する。すなわち、ホームサーバ等から送信されるオーディオコンテンツがレシーバ４０１により受信され、レシーバ４０１により所定の信号処理がオーディオコンテンツに対して行われる。処理が施されたオーディオコンテンツが増幅される。オーディオコンテンツがスピーカ４０２から再生される。
【００９１】
照明装置５００は、電球５０１と、光透過性の筺体５０２を含む。筺体５０２は、例えば、室内に向かう方向に幅広となる形状とされる。筺体５０２の内部に電球５０１が収納される。さらに、筺体５０２の内部に、レシーバ４０１と、スピーカ４０２が収納される。
【００９２】
再生装置４００等に近接する箇所に撮像装置６００が設置される。撮像装置６００は、撮像部６０１と、天井４０から立設する筐体６０２とを含む。筐体６０２の先端に撮像部６０１が取り付けられる。撮像部６０１は、例えば、全方向の撮像が可能とされる。撮像装置６００が撮像する範囲を設定できるようにしてもよい。これらの各装置を制御する制御部等が天井４０内に収納される。制御部とレシーバ４０１の間では、無線による通信が行われる。このように、再生装置等の外観は、適宜、変更できる。
【００９３】
上述した実施形態は、さらに、以下の変形が可能である。
【００９４】
上述した実施形態では、照明装置１１０の明るさを所定の明るさより小さくする制御信号として、照明装置１１０を消灯する制御信号を例示したが、これに限定されることはない。例えば、照明装置１１０の明るさを所定の明るさより小さくする制御信号が、常夜灯を点灯する制御信号でもよい。さらに、照明装置１１０の発光部１１１が調光状態において、発光部１１１の明るさを閾値より小さくするための制御信号でもよい。
【００９５】
上述した実施形態では、システム１を構成する機器がＤＬＮＡに対応する機器として説明したが、これに限定されることはない。例えば、ホームサーバ２００から再生装置１００に対して、Ｂｌｕｅｔｏｏｔｈ（登録商標）やＷｉ−Ｆｉ（登録商標）によりオーディオコンテンツが送信されるようにしてもよい。さらに、携帯端末３００から再生装置１００に対して、オーディオコンテンツが送信されるようにしてもよい。
【００９６】
オーディオコンテンツの再生音量をミュートする際に、再生音量を徐々に小さくするようにしてもよい。さらに、就寝に適したオーディオコンテンツが再生されるようにしてもよい。さらに、再生音量に限らず、就寝に適した周波数特性となるように、オーディオコンテンツの再生態様を変更するとともに、音量を徐々に小さくするようにしてもよい。
【００９７】
制御部１０１により、撮像装置１２０が動作するタイミングが変更されてもよい。例えば、オーディオコンテンツが再生される場合に撮像装置１２０に電力が供給されるようにし、撮像装置１２０が起動するようにしてもよい。さらに、照明装置１１０の明るさが所定の明るさより小さくされる場合に、制御部１０１により撮像画像を解析する処理がなされるようにし、その他の場合には、撮像画像が破棄されるようにしてもよい。常に撮像装置１２０を起動させる必要がないため、省電力を実現できるとともに、制御部１０１にかかる負荷を低減できる。
【００９８】
撮像装置１２０が暗闇でも撮像可能な赤外線カメラでもよい。例えば、照明が消灯された後に、撮像装置１２０による撮像が行われるようにしてもよい。
【００９９】
本開示は、装置のほか、方法、プログラム、プログラムが記録された記録媒体などによって実現することができる。なお、実施形態および変形例における構成および処理は、技術的矛盾が生じない範囲で適宜、変更し、また、組み合わせることができる。例示した処理が並列して行われてもよい。例えば、照明を消灯する制御要求の有無を判断する処理と、撮像画像を解析し、ユーザがベッドにいるか否かを判断する処理とが並列して行われるようにしてもよい。
【０１００】
さらに、本開示は、例示した処理が複数の装置によって分散して処理される、いわゆるクラウドシステムに対して適用することができる。例えば、例示した処理を全て実行するシステムであって、一部の処理を実行する装置として本開示が実現されてもよい。
【０１０１】
本開示は、以下の構成をとることもできる。
（１）
コンテンツを再生するコンテンツ再生部と、
前記コンテンツの再生態様を制御する制御部と
を備え、
照明装置の明るさを、所定の明るさより小さくするための制御信号が前記制御部に入力され、且つ、所定の範囲に人物が検出される場合に、前記制御部は、前記コンテンツ再生部により再生中のコンテンツの再生態様を変更する再生装置。
（２）
前記コンテンツは、オーディオコンテンツであり、
前記制御部は、少なくとも、前記オーディオコンテンツの再生音量を小さくすることにより、前記オーディオコンテンツの再生態様を変更する（１）に記載の再生装置。
（３）
前記コンテンツ再生部と、前記制御部と、前記照明装置と、前記所定の範囲を撮像する撮像装置とが一体的に構成される（１）または（２）に記載の再生装置。
（４）
前記コンテンツ再生部によりコンテンツの再生が行われる場合に、前記撮像装置により前記所定の範囲が撮像される（３）に記載の再生装置。
（５）
前記所定の範囲が設定可能とされる（１）乃至（４）のいずれかに記載の再生装置。
（６）
前記所定の範囲は、寝具が設置される位置を含む範囲である（１）乃至（５）のいずれかに記載の再生装置。
（７）
前記コンテンツ再生部は、ネットワークを介して供給されるコンテンツを再生する（１）乃至（６）のいずれかに記載の再生装置。
（８）
照明装置の明るさを、所定の明るさより小さくするための制御信号が制御部に入力され、且つ、所定の範囲に人物が検出される場合に、前記制御部は、再生中のコンテンツの再生態様を変更する、前記制御部を備える再生装置における再生方法。
【符号の説明】
【０１０２】
１・・・システム
１００・・・再生装置
１０１・・・制御部
１０３・・・オーディオ処理部
１０４・・・アンプ
１０５・・・スピーカ
１１０・・・照明装置
１１１・・・発光部
１２０・・・撮像装置
２００・・・ホームサーバ
３００・・・携帯端末
【図１】
0006007558.tif 000002
【図２】
0006007558.tif 000003
【図３】
0006007558.tif 000004
【図４】
0006007558.tif 000005
【図５】
0006007558.tif 000006
【図６】
0006007558.tif 000007
【図７】
0006007558.tif 000008
【図８】
0006007558.tif 000009
【図９】
0006007558.tif 000010
【図１０】
0006007558.tif 000011